(57)【要約】【課題】保護対象を虫から効果的に保護することが可能な防虫素材を提供する。【解決手段】防虫素材１１は、糸１２を編んで形成される編み物１３によって構成され、肌の露出部分を覆うことによって害虫から肌の露出部分を保護する。そして、編み物１３は、表面に凹溝１４及び凸条１５が交互に形成されるように編まれている。【選択図】図１
2015130815.tif 000002
【特許請求の範囲】
【請求項１】
保護対象を覆うことによって虫から前記保護対象を保護する防虫素材であって、
糸を編んで形成される編み物によって構成され、
前記編み物は、表面に凹凸が形成されるように編まれていることを特徴とする防虫素材。
【請求項２】
前記凹凸は、縦方向に延びる凹溝と凸条とが横方向において交互に形成されることによって形成されることを特徴とする請求項１に記載の防虫素材。
【請求項３】
前記凹溝における前記横方向の幅は、前記凸条における前記横方向の幅よりも狭くなっていることを特徴とする請求項２に記載の防虫素材。
【請求項４】
前記糸には、防虫剤が付与されていることを特徴とする請求項１〜請求項３のうちいずれか一項に記載の防虫素材。
【請求項５】
前記糸は、ポリプロピレン製であることを特徴とする請求項１〜請求項４のうちいずれか一項に記載の防虫素材。
【発明の詳細な説明】
【技術分野】
【０００１】
本発明は、蚊などの虫から保護対象を保護する防虫素材に関する。
【背景技術】
【０００２】
従来、蚊などの虫から身を守るものとして、防虫ネットが知られている（例えば、特許文献１参照）。こうした防虫ネットは、通常、通気性や視界を確保するべく網状の素材から作られる。
【先行技術文献】
【特許文献】
【０００３】
【特許文献１】特開２００２−２４９９１６号公報
【発明の概要】
【発明が解決しようとする課題】
【０００４】
ところで、上述のような防虫ネットは、一定の防虫効果を得られるものの、これを構成する網状の素材が平面的（２次元的）な構造であるため、網状の素材の外面と当該網状の素材によって覆われた人肌などの保護対象との距離が短くなってしまう。このため、網状の素材の網目から蚊などの虫によって刺されるおそれがある。したがって、防虫効果を向上させる上では、まだまだ改善の余地を残すものとなっている。
【０００５】
本発明は、このような従来技術に存在する問題点に着目してなされたものである。その目的とするところは、保護対象を虫から効果的に保護することが可能な防虫素材を提供することにある。
【課題を解決するための手段】
【０００６】
以下、上記課題を解決するための手段及びその作用効果について記載する。
上記課題を解決する防虫素材は、保護対象を覆うことによって虫から前記保護対象を保護する防虫素材であって、糸を編んで形成される編み物によって構成され、前記編み物は、表面に凹凸が形成されるように編まれている。
【０００７】
この構成によれば、編み物の凹凸により立体的な厚みを確保することができるので、編み物の外面と当該編み物によって覆われた保護対象との距離を稼ぐことができる。したがって、保護対象を虫から効果的に保護することが可能となる。
【０００８】
上記防虫素材において、前記凹凸は、縦方向に延びる凹溝と凸条とが横方向において交互に形成されることによって形成されることが好ましい。
この構成によれば、編み物全体にわたって凹溝と凸条とを形成することで、バランスよく保護対象を虫から保護することが可能となる。
【０００９】
上記防虫素材において、前記凹溝における前記横方向の幅は、前記凸条における前記横方向の幅よりも狭くなっていることが好ましい。
この構成によれば、凹溝に虫が入り込み難くなるので、保護対象を虫からより一層効果的に保護することが可能となる。
【００１０】
上記防虫素材において、前記糸には、防虫剤が付与されていることが好ましい。
この構成によれば、保護対象に虫が近づくことを抑制することが可能となる。
上記防虫素材において、前記糸は、ポリプロピレン製であることが好ましい。
【００１１】
この構成によれば、ポリプロピレンは抗菌性を有し、且つ水分を吸収しにくいので、編み物を水洗いするだけで、清潔に保つことが可能となる。すなわち、編み物の手入れを簡単に行うことが可能となる。
【発明の効果】
【００１２】
本発明によれば、虫から保護対象を効果的に保護することができる。
【図面の簡単な説明】
【００１３】
【図１】一実施形態の防虫素材を構成する編み物の一部を示す模式斜視図。
【図２】（ａ）は防虫素材を構成する編み物の一部の組織を展開したときの状態を示す平面拡大模式図、（ｂ）は（ａ）の２ｂ−２ｂ線矢視断面模式図。
【図３】筒状にした防虫素材で腕を覆ったときの状態を示す模式斜視図。
【図４】筒状にした防虫素材で足を覆ったときの状態を示す模式斜視図。
【図５】防虫素材で帽子の鍔ごと頭部を覆ったときの状態を示す模式斜視図。
【図６】防虫素材の作用を説明するための側面模式図。
【図７】変更例において、（ａ）は防虫素材を構成する編み物の一部の組織を展開したときの状態を示す平面拡大模式図、（ｂ）は（ａ）の７ｂ−７ｂ線矢視断面模式図。
【図８】変更例において、（ａ）は防虫素材を構成する編み物の一部の組織を展開したときの状態を示す平面拡大模式図、（ｂ）は（ａ）の８ｂ−８ｂ線矢視断面模式図、（ｃ）は（ａ）の８ｃ−８ｃ線矢視断面模式図。
【発明を実施するための形態】
【００１４】
以下、防虫素材の一実施形態を図面に基づいて説明する。
図１に示すように、防虫素材１１は、糸１２を編んで形成される編み物１３によって構成されている。編み物１３は、糸１２により表面に凹凸が形成されるように編まれている。この編み物１３の凹凸は、編み物１３を略波形になるように編むことで形成される。すなわち、編み物１３の凹凸は、縦方向Ｙに延びる略角状の凹溝１４と、同じく縦方向Ｙに延びる略角状の凸条１５とを、縦方向Ｙと直交する横方向Ｘにおいて交互に形成することによって形成される。
【００１５】
各凹溝１４と各凸条１５とは、表裏一体となっている。すなわち、各凹溝１４の裏側は各凸条１５になっており、各凸条１５の裏側は各凹溝１４になっている。そして、横方向Ｘにおける各凹溝１４の幅と、横方向Ｘにおける各凸条１５の幅とは、同じになっている。
【００１６】
編み物１３を構成する糸１２はポリプロピレン製であるとともに、当該糸１２には紡糸時にピレスロイド系の防虫剤がマイクロカプセルに内包された状態で練り込まれ（付与され）ている。そして、このマイクロカプセルの表皮は、可撓性と、内包した防虫剤を徐々に外部へ放出する徐放性とを有した合成樹脂のエマルジョンによって構成されている。
【００１７】
ピレスロイド系の防虫剤としては、ピレトリン、アレスリン、フタルスリン、レスメトリン、フラメトリン、フェノトリン、シフェノトリン、ペルメトリン、エムペントリン、プラレトリン、イミプロトリン、トランスフルトリン、シフルトリン、プロフルトリン、メトフルトリンなどを用いることができる。そして、本実施形態では、ピレスロイド系の防虫剤として特に残効性の高いペルメトリンが採用されている。
【００１８】
次に、防虫素材１１を構成する編み物１３の組織について説明する。
図２（ａ）に示すように、編み物１３は、縦方向Ｙに並ぶ複数のループ２０からなるループ列を複数備えている。これら複数のループ列は、図２（ａ）における左側から右側に向かって順にループ列Ａ１、ループ列Ａ２、ループ列Ａ３、ループ列Ａ４、ループ列Ａ５、ループ列Ａ６、及びループ列Ａ７とされ、横方向Ｘに互いに平行となるように並んで配置されている。
【００１９】
編み物１３において、横方向Ｘで隣り合う２つのループ２０同士は、連結ループ２１によって連結されている。したがって、横方向Ｘで隣り合う２つのループ列同士の間には、縦方向Ｙに並ぶ複数の連結ループ２１からなる連結ループ列が配置される。ループ列Ａ１とループ列Ａ２との間に配置されてループ列Ａ１とループ列Ａ２とを連結する連結ループ列は、連結ループ列Ｂ１とされている。
【００２０】
ループ列Ａ２とループ列Ａ３との間に配置されてループ列Ａ２とループ列Ａ３とを連結する連結ループ列は、連結ループ列Ｂ２とされている。ループ列Ａ３とループ列Ａ４との間に配置されてループ列Ａ３とループ列Ａ４とを連結する連結ループ列は、連結ループ列Ｂ３とされている。ループ列Ａ４とループ列Ａ５との間に配置されてループ列Ａ４とループ列Ａ５とを連結する連結ループ列は、連結ループ列Ｂ４とされている。
【００２１】
ループ列Ａ５とループ列Ａ６との間に配置されてループ列Ａ５とループ列Ａ６とを連結する連結ループ列は、連結ループ列Ｂ５とされている。ループ列Ａ６とループ列Ａ７との間に配置されてループ列Ａ６とループ列Ａ７とを連結する連結ループ列は、連結ループ列Ｂ６とされている。ループ列Ａ７とループ列Ａ８との間に配置されてループ列Ａ７とループ列Ａ８とを連結する連結ループ列は、連結ループ列Ｂ７とされている。
【００２２】
そして、編み物１３は、ループ列Ａ１，Ａ２，Ａ５，Ａ６を構成する各ループ２０が表側（紙面の手前側）にくる一方、ループ列Ａ３，Ａ４，Ａ７，Ａ８を構成する各ループ２０が裏側（紙面の奥側）にくるように編まれている。
【００２３】
このため、図２（ｂ）に示すように、ループ列Ａ２とループ列Ａ３との間に連結ループ列Ｂ２を構成する連結ループ２１の長さ分の段差が形成される。同様に、ループ列Ａ４とループ列Ａ５との間に連結ループ列Ｂ４を構成する連結ループ２１の長さ分の段差が形成され、ループ列Ａ６とループ列Ａ７との間に連結ループ列Ｂ６を構成する連結ループ２１の長さ分の段差が形成される。
【００２４】
したがって、このような編み物１３の組織により、図１に示すような表面に凹凸が形成された防虫素材１１が得られる。
次に、上述の防虫素材１１の使用例について説明する。
【００２５】
図３及び図４に示すように、防虫素材１１は、筒状に加工して保護対象の一例としての腕や足における肌の露出部分Ｐを覆うように装着することで、腕や足おける肌の露出部分Ｐが保護され、蚊などの害虫Ｇ（図６参照）によって刺されることが抑制される。この場合、防虫素材１１は、両端部にゴムを設けたり、両端部を紐で縛ったりして、腕や足との間に隙間ができないようにして装着することが好ましい。
【００２６】
また、図５に示すように、防虫素材１１は、筒状に加工し、保護対象の一例としての頭部Ｑ（首を含む）を、被っている帽子３０の鍔３０ａごと覆うように装着することで、頭部Ｑ全体が保護され、蚊などの害虫Ｇ（図６参照）によって刺されることが抑制される。この場合、使用者の視界を確保するべく、防虫素材１１を構成する編み物１３における使用者の目と対応する部分の糸１２の密度は小さくすることが好ましい。
【００２７】
次に、防虫素材１１の作用について説明する。
図６に示すように、保護対象である腕や足などの肌の露出部分Ｐを防虫素材１１によって覆うと、防虫素材１１を構成する編み物１３の凹溝１４及び凸条１５により、防虫素材１１の外面と肌の露出部分Ｐとの距離を稼ぐことができる。このため、防虫素材１１の外面に止まった蚊などの害虫Ｇの針が肌の露出部分Ｐまで届き難くなるので、肌の露出部分Ｐが防虫素材１１によって害虫Ｇから保護される。
【００２８】
加えて、防虫素材１１は、従来の防虫網の２次元的（平面的）な構成とは異なり、三次元的な凹凸構造になっているため、肌の露出部分Ｐに対する接触面積が低減されるとともに肌の露出部分Ｐとの間に多くの隙間が形成される。このため、従来に比べて通気性が格段に向上するので、装着時の汗のベタつきなどの不快感が低減される。
【００２９】
したがって、本実施形態の防虫素材１１では、防虫効果に加えて、装着時における汗のベタつきなどの不快感を低減する効果が得られる。因みに、従来の２次元的な防虫網を装着したときには、防虫網が肌に密着した状態になるので、汗のベタつきなどの不快感が増してしまうこととなる。
【００３０】
以上詳述した実施形態によれば次のような効果が発揮される。
（１）防虫素材１１は表面に凹凸が形成されるように編まれた編み物１３によって構成されているため、この凹凸により立体的（３次元的）な厚みを確保することができる。このため、防虫素材１１（編み物１３）の外面と当該防虫素材１１によって覆われた肌の露出部分Ｐとの距離を稼ぐことができる。したがって、肌の露出部分Ｐを蚊などの害虫Ｇから効果的に保護することができる。
【００３１】
（２）防虫素材１１を構成する編み物１３は、縦方向Ｙに延びる複数の凹溝１４と複数の凸条１５とが編み物１３全体にわたって横方向Ｘにおいて交互に形成されるように編まれているため、バランスよく肌の露出部分Ｐを蚊などの害虫Ｇから保護することができる。また、凹溝１４と凸条１５とを有した編み物１３の立体的な構造は、伸縮性に富んでおり、体の動きや装着部位（腕や足など）のサイズの変化にも柔軟に対応することができる。
【００３２】
（３）防虫素材１１を構成する編み物１３を編む糸１２には、防虫剤が付与されているため、肌の露出部分Ｐに蚊などの害虫Ｇが近づくことを抑制することができる。特に本実施形態の糸１２には、ピレスロイド系の防虫剤であるペルメトリンが内包されたマイクロカプセルが練り込まれている。そして、このマイクロカプセルの表皮は、ペルメトリンを徐々に外部へ放出する徐放性を有した合成樹脂のエマルジョンによって構成されている。このため、マイクロカプセルからペルメトリンがゆっくりと放出される。したがって、防虫効果を長期間維持することができる。加えて、マイクロカプセルの表皮は可撓性を有しているため、糸１２の紡糸時にこれらに投与したマイクロカプセルに熱や外力が加わっても、マイクロカプセルが壊れてペルメトリンが一気に外部へ放出されることを抑制することができる。
【００３３】
（４）防虫素材１１を構成する編み物１３を編む糸１２は、ポリプロピレン製であるため、抗菌性を有し、且つ水分を吸収しにくい特性を有する。したがって、防虫素材１１は、水洗いするだけで、清潔に保つことができ、水洗いした後も素早く乾かすことができる。すなわち、防虫素材１１は、手入れを簡単に行うことができる。また、ポリプロピレン製の防虫素材１１は、汗を吸収しにくいので、汗によって肌にまとわりつくような不快感を覚えることを抑制できる。
【００３４】
（変更例）
なお、上記実施形態は、次のように変更して具体化することも可能である。
・図７（ａ）に示すように、防虫素材１１を構成する編み物１３は、ループ列Ａ１，Ａ４，Ａ７を構成する各ループ２０が表側（紙面の手前側）にくる一方、ループ列Ａ２，Ａ３，Ａ５，Ａ６を構成する各ループ２０が裏側（紙面の奥側）にくるように編んでもよい。この場合、図７（ｂ）に示すように、ループ列Ａ１とループ列Ａ２との間に段差が形成されるとともに連結ループ列Ｂ１が横方向Ｘに対して斜めになり、ループ列Ａ３とループ列Ａ４との間に段差が形成されるとともに連結ループ列Ｂ３が横方向Ｘに対して斜めになる。同様に、ループ列Ａ４とループ列Ａ５との間に段差が形成されるとともに連結ループ列Ｂ４が横方向Ｘに対して斜めになり、ループ列Ａ６とループ列Ａ７との間に段差が形成されるとともに連結ループ列Ｂ６が横方向Ｘに対して斜めになる。このようにすれば、編み物１３の凹溝１４及び凸条１５の形状をＶ字状や台形状にすることができる。なお、図７（ａ）及び図７（ｂ）では、連結ループ列Ｂ７とループ列Ａ８とを省略して描いている。
【００３５】
・図８（ａ）に示すように、防虫素材１１を構成する編み物１３は、所定数のループ２０単位で、当該所定数のループ２０が、縦方向Ｙ及び横方向Ｘにおいて表側（紙面の手前側）と裏側（紙面の奥側）に交互にくるように編んでもよい。本例の編み物１３では、横方向Ｘ２列分と縦方向Ｙ３列分の合計６つのループ２０単位で、縦方向Ｙ及び横方向Ｘにおいて表側（紙面の手前側）と裏側（紙面の奥側）に交互にくるように編まれている。このようにすれば、図８（ａ）、図８（ｂ）及び図８（ｃ）に示すように、編み物１３に対して、６つのループ２０単位で、縦方向Ｙ及び横方向Ｘにおいて交互に凹部と凸部とを形成することができる。図８（ａ）では、網掛けした領域が紙面の奥側に窪む凹部となり、網掛けしていない領域が紙面の手前側に突出する凸部となる。
【００３６】
・糸１２は、必ずしもポリプロピレン製でなくてもよい。例えば、糸１２を、ポリアミド、ポリエチレン、ポリエステル、アクリル樹脂、ウレタン樹脂などによって構成してもよい。
【００３７】
・糸１２には、必ずしも防虫剤を付与する必要はない。
・糸１２に防虫剤を付与する場合には、必ずしもマイクロカプセルに内包した状態で練り込む必要はない。例えば、糸１２に防虫剤を吹き付けたり塗布したりして付与するようにしてもよい。
【００３８】
・防虫素材１１を構成する編み物１３の外側の面において、凹溝１４における横方向Ｘの幅は、凸条１５における横方向Ｘの幅よりも狭くなるようにしてもよい。このようにすれば、凹溝１４に蚊などの害虫Ｇが入り込み難くなるので、肌の露出部分Ｐなどの保護対象を害虫Ｇからより一層効果的に保護することができる。
【００３９】
・防虫素材１１を構成する編み物１３には、横方向Ｘに延びる凹溝と凸条とが縦方向Ｙにおいて交互に形成されるように編むことによって凹凸が形成されるようにしてもよい。
・防虫素材１１を構成する編み物１３に形成される凹溝１４の深さや凸条１５の高さは、部分的または全体的に適宜変更してもよい。
【００４０】
・防虫素材１１を構成する編み物１３に形成される凹溝１４の横方向Ｘの幅や凸条１５の横方向Ｘの幅は、部分的または全体的に適宜変更してもよい。
・防虫素材１１による害虫Ｇからの保護対象は、犬や猫などのペット、農作物、植物などであってもよい。
【００４１】
・虫（害虫Ｇ）は、蚊以外であってもよい。例えば、蜂、虻、百足、蟻などであってもよい。
【符号の説明】
【００４２】
１１…防虫素材、１２…糸、１３…編み物、１４…凹凸を構成する凹溝、１５…凹凸を構成する凸条、Ｇ…害虫、Ｐ…保護対象の一例としての腕や足における肌の露出部分、Ｑ…保護対象の一例としての頭部、Ｘ…横方向、Ｙ…縦方向。
【図１】
2015130815.tif 000003
【図２】
2015130815.tif 000004
【図３】
2015130815.tif 000005
【図４】
2015130815.tif 000006
【図５】
2015130815.tif 000007
【図６】
2015130815.tif 000008
【図７】
2015130815.tif 000009
【図８】
2015130815.tif 000010